(57)【要約】【課題】複数枚の収納票を処理する場面における処理の効率を向上させることが可能な、収納票処理装置を提供する。【解決手段】処理対象の複数枚の収納票の各々に記録されている支払金額を取得する情報取得部と、前記収納票に対して印字または押印を行う印字部と、前記情報取得部による前記複数枚の収納票の各々に記録されている支払金額の取得が完了した場合に、取得された支払金額の合計額を表示部に表示させ、かつ、前記支払金額の合計額の入金が確認された場合に、前記複数枚の収納票の各々に対して、領収印を所定の条件に基づいて前記印字部に印字または押印させる制御部と、を備える、収納票処理装置。【選択図】図１
2019046140.tif 000002
【特許請求の範囲】
【請求項１】
処理対象の複数枚の収納票の各々に記録されている支払金額を取得する情報取得部と、
前記収納票に対して印字または押印を行う印字部と、
前記情報取得部による前記複数枚の収納票の各々に記録されている支払金額の取得が完了した場合に、取得された支払金額の合計額を表示部に表示させ、かつ、
前記支払金額の合計額の入金が確認された場合に、前記複数枚の収納票の各々に対して、領収印を所定の条件に基づいて前記印字部に印字または押印させる制御部と、
を備える、収納票処理装置。
【請求項２】
前記支払金額の合計額の入金が確認された場合に、前記制御部は、前記複数枚の収納票の各々に関して、当該収納票に対して領収印を印字または押印させるか否かを選択させるための選択画面を前記表示部に表示させ、
前記所定の条件は、前記複数枚の収納票の各々に関して、当該収納票に対して領収印を印字または押印させることが選択されたか否かである、請求項１に記載の収納票処理装置。
【請求項３】
所定の紙媒体に対して印刷を行うレシート印字部をさらに備え、
前記複数枚の収納票の各々に関して、当該収納票に対して領収印を印字または押印させることが選択された場合には、前記制御部は、当該収納票に対して領収印を前記印字部に印字または押印させ、
当該収納票に対して領収印を印字させないことが選択された場合には、前記制御部は、当該収納票に対応する領収内容を示す情報を前記所定の紙媒体に対して前記レシート印字部に印刷させ、かつ、前記所定の紙媒体を前記収納票処理装置から排出させる、請求項２に記載の収納票処理装置。
【請求項４】
前記収納票を挿入するための収納票挿入口をさらに備え、
前記情報取得部は、前記収納票処理装置の内部に設置されており、
前記複数枚の収納票の各々に関して、当該収納票が前記収納票挿入口に最初に挿入された場合に、前記情報取得部は、当該収納票に記録されている支払金額を取得し、かつ、
当該収納票に記録されている支払金額が前記情報取得部により取得された後に、当該収納票は、前記収納票処理装置から排出され、
前記複数枚の収納票の各々に関して、当該収納票に対して領収印を印字または押印させることが選択され、かつ、当該収納票が前記収納票挿入口に再挿入された場合には、前記制御部は、当該収納票に対して領収印を前記印字部に印字または押印させる、請求項３に記載の収納票処理装置。
【請求項５】
前記制御部は、前記複数枚の収納票の各々に対して領収印を前記印字部に印字または押印させる、請求項１に記載の収納票処理装置。
【請求項６】
前記収納票を挿入するための収納票挿入口をさらに備え、
前記情報取得部は、前記収納票処理装置の内部に設置されており、
前記複数枚の収納票の各々に関して、当該収納票が前記収納票挿入口に最初に挿入された場合に、前記情報取得部は、当該収納票に記録されている支払金額を取得し、かつ、
当該収納票に記録されている支払金額が前記情報取得部により取得された後に、当該収納票は、前記収納票処理装置から排出され、
前記支払金額の合計額の入金が確認された場合には、前記制御部は、前記収納票挿入口に再挿入された前記複数枚の収納票の各々に対して領収印を前記所定の条件に基づいて前記印字部に印字または押印させる、請求項１〜５のいずれか一項に記載の収納票処理装置。
【発明の詳細な説明】
【技術分野】
【０００１】
本発明は、収納票処理装置に関する。
【背景技術】
【０００２】
近年、コンビニエンスストアの店舗や郵便局などにおいて、通信販売での購入代金や公共料金の支払いなどを行うための収納代行システムが利用されている。
【０００３】
例えば、下記特許文献１には、収納代行した収納票の枚数と、収納代行した収納票に貼付すべき収入印紙の枚数とをＰＯＳ端末に表示する技術が記載されている。
【先行技術文献】
【特許文献】
【０００４】
【特許文献１】特開２００８−２１０２９６号公報
【発明の概要】
【発明が解決しようとする課題】
【０００５】
しかしながら、特許文献１に記載の技術では、複数枚の収納票を処理する場面における処理の効率が低い。例えば、特許文献１に記載の技術では、収納票を処理する際に、収納票一枚ごとに、当該収納票に対応する支払金額の入金を確認する必要がある。
【０００６】
そこで、本発明は、上記問題に鑑みてなされたものであり、本発明の目的とするところは、複数枚の収納票を処理する場面における処理の効率を向上させることが可能な、新規かつ改良された収納票処理装置を提供することにある。
【課題を解決するための手段】
【０００７】
上記課題を解決するために、本発明のある観点によれば、処理対象の複数枚の収納票の各々に記録されている支払金額を取得する情報取得部と、前記収納票に対して印字または押印を行う印字部と、前記情報取得部による前記複数枚の収納票の各々に記録されている支払金額の取得が完了した場合に、取得された支払金額の合計額を表示部に表示させ、かつ、前記支払金額の合計額の入金が確認された場合に、前記複数枚の収納票の各々に対して、領収印を所定の条件に基づいて前記印字部に印字または押印させる制御部と、を備える、収納票処理装置が提供される。
【０００８】
前記支払金額の合計額の入金が確認された場合に、前記制御部は、前記複数枚の収納票の各々に関して、当該収納票に対して領収印を印字または押印させるか否かを選択させるための選択画面を前記表示部に表示させ、前記所定の条件は、前記複数枚の収納票の各々に関して、当該収納票に対して領収印を印字または押印させることが選択されたか否かであってもよい。
【０００９】
所定の紙媒体に対して印刷を行うレシート印字部をさらに備え、前記複数枚の収納票の各々に関して、当該収納票に対して領収印を印字または押印させることが選択された場合には、前記制御部は、当該収納票に対して領収印を前記印字部に印字または押印させ、当該収納票に対して領収印を印字させないことが選択された場合には、前記制御部は、当該収納票に対応する領収内容を示す情報を前記所定の紙媒体に対して前記レシート印字部に印刷させ、かつ、前記所定の紙媒体を前記収納票処理装置から排出させてもよい。
【００１０】
前記収納票を挿入するための収納票挿入口をさらに備え、前記情報取得部は、前記収納票処理装置の内部に設置されており、前記複数枚の収納票の各々に関して、当該収納票が前記収納票挿入口に最初に挿入された場合に、前記情報取得部は、当該収納票に記録されている支払金額を取得し、かつ、当該収納票に記録されている支払金額が前記情報取得部により取得された後に、当該収納票は、前記収納票処理装置から排出され、前記複数枚の収納票の各々に関して、当該収納票に対して領収印を印字または押印させることが選択され、かつ、当該収納票が前記収納票挿入口に再挿入された場合には、前記制御部は、当該収納票に対して領収印を前記印字部に印字または押印させてもよい。
【００１１】
前記制御部は、前記複数枚の収納票の各々に対して領収印を前記印字部に印字または押印させてもよい。
【００１２】
前記収納票を挿入するための収納票挿入口をさらに備え、前記情報取得部は、前記収納票処理装置の内部に設置されており、前記複数枚の収納票の各々に関して、当該収納票が前記収納票挿入口に最初に挿入された場合に、前記情報取得部は、当該収納票に記録されている支払金額を取得し、かつ、当該収納票に記録されている支払金額が前記情報取得部により取得された後に、当該収納票は、前記収納票処理装置から排出され、前記支払金額の合計額の入金が確認された場合には、前記制御部は、前記収納票挿入口に再挿入された前記複数枚の収納票の各々に対して領収印を前記所定の条件に基づいて前記印字部に印字または押印させてもよい。
【発明の効果】
【００１３】
以上説明したように本発明によれば、複数枚の収納票を処理する場面における処理の効率を向上させることができる。
【図面の簡単な説明】
【００１４】
【図１】本発明の実施形態に係る収納代行システムの構成例を示した図である。
【図２】収納票の構成例を示した図である。
【図３】本実施形態に係る収納票処理装置１０の内部構成の例を示した図である。
【図４】本実施形態に係る収納票処理装置１０の機能構成の例を示したブロック図である。
【図５】複数枚の収納票の各々に対応する支払金額の合計額の表示例を示した図である。
【図６】本実施形態に係る領収書種別選択画面の表示例を示した図である。
【図７】収納票に対応する領収内容が印刷されたレシートの例を示した図である。
【図８】本実施形態に係る処理の流れの一部を示したフローチャートである。
【図９】本実施形態に係る処理の流れの一部を示したフローチャートである。
【図１０】本実施形態に係る処理対象の収納票の枚数入力画面の表示例を示した図である。
【発明を実施するための形態】
【００１５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１６】
また、本明細書及び図面において、実質的に同一の機能構成を有する複数の構成要素を、同一の符号の後に異なるアルファベットを付して区別する場合もある。例えば、実質的に同一の機能構成を有する複数の構成要素を、必要に応じて商品販売データ処理装置２０ａおよび商品販売データ処理装置２０ｂのように区別する。ただし、実質的に同一の機能構成を有する複数の構成要素の各々を特に区別する必要がない場合、同一符号のみを付する。例えば、商品販売データ処理装置２０ａおよび商品販売データ処理装置２０ｂを特に区別する必要が無い場合には、単に商品販売データ処理装置２０と称する。
【００１７】
また、以下に示す項目順序に従って当該「発明を実施するための形態」を説明する。
１．収納代行システムの構成
２．実施形態の詳細な説明
３．変形例
【００１８】
＜＜１．収納代行システムの構成＞＞
まず、本発明の実施形態に係る収納代行システムの構成について説明する。図１は、本実施形態に係る収納代行システムの構成例を示した説明図である。図１に示すように、当該収納代行システムは、収納票処理装置１０、商品販売データ処理装置２０、通信網２２、および、センタサーバ３０を含む。例えば、収納票処理装置１０と商品販売データ処理装置２０とは一つの施設（店舗など）において隣接して配置されてもよい。
【００１９】
＜１−１．収納票処理装置１０＞
収納票処理装置１０は、装置内に挿入された収納票に関して各種の処理を行う装置である。例えば、収納票処理装置１０は、挿入された収納票に記録されているデータコードの読み取り、読み取ったデータコードの解析、当該収納票に対応する支払金額の入金の確認処理、当該収納票に対する領収印の印字または押印（形成）、および、受領証の排出などを実行する。例えば、収納票処理装置１０が店舗に配置される場合には、当該店舗を訪れた顧客など（ユーザ）が収納票処理装置１０を操作する。
【００２０】
｛１−１−１．収納票｝
図２は、収納票の構成例（収納票４０）を示した図である。図２に示したように、収納票４０は、払込取扱票４００、店舗控え４０２、および、受領証４０４から構成される。払込取扱票４００は、収納票４０に対応する払込内容が記録される部分である。図２に示したように、払込取扱票４００は、例えば、支払先の口座番号、収納金額、領収印領域、データコード領域４０６、および、識別ＩＤ４０８などを含む。ここで、識別ＩＤ４０８は、払込票を例えば一意に識別するためのＩＤである。例えば、識別ＩＤは、収納代行業務に関する管理のために、後述するセンタサーバ３０により利用される。また、データコード領域４０６には、例えば一次元のデータコードが記録されている。当該データコードには、収納に関する情報（例えば、上記の識別ＩＤ、支払金額、および、受取人氏名などを含む）が記録されている。
【００２１】
また、店舗控え４０２は、収納票４０に対応する支払金額が支払われた際に、店舗において控えとして保管される部分である。また、受領証４０４は、収納票４０に対応する支払金額が支払われた際に、支払者に領収書として返却される部分である。
【００２２】
｛１−１−２．内部構成｝
図３は、収納票処理装置１０の内部構成の例を示した図である。図３に示したように、収納票処理装置１０は、制御部１００、電源部１０２、操作表示部１０４、レシート印字部１０６、収納票挿入口１２２、収納票搬送部１２４、スキャナ部１２６、印字部１２８、収納票排出口１３０、および、収納票集積部１３２を有する。
【００２３】
制御部１００は、例えば、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、および、ＲＡＭ（Ｒａｎｄｏｍ  Ａｃｃｅｓｓ  Ｍｅｍｏｒｙ）などを用いて、収納票処理装置１０の動作を全般的に制御する。
【００２４】
電源部１０２は、外部から供給される商用電源を収納票処理装置１０内の各部分に供給する。例えば、電源部１０２は、収納票処理装置１０内の部分ごとに、外部からの商用電源を当該部分の稼働に必要な電力に変換し、変換後の電力を当該部分に供給する。
【００２５】
操作表示部１０４は、ユーザによる入力を受け付ける入力部としての機能、および、各種画面を表示する表示部としての機能を包含する。表示部としての機能は、例えば、液晶ディスプレイ（ＬＣＤ：Ｌｉｑｕｉｄ  Ｃｒｙｓｔａｌ  Ｄｉｓｐｌａｙ）装置、ＯＬＥＤ（Ｏｒｇａｎｉｃ  Ｌｉｇｈｔ  Ｅｍｉｔｔｉｎｇ  Ｄｉｏｄｅ）装置などにより実現される。また、入力部としての機能は例えばタッチパネルにより実現される。なお、表示部および入力部の機能は一体的に構成される代わりに、分離して構成されてもよい。
【００２６】
レシート印字部１０６は、制御部１００の制御に従って、例えば取引の結果などの情報をレシート用紙に印字（印刷）し、かつ、当該レシート用紙を排出する。
【００２７】
収納票挿入口１２２は、ユーザが収納票を挿入するための開口部である。収納票挿入口１２２には、収納票を１枚ずつ分離する分離機構が設けられていてもよい。この場合、ユーザが収納票を複数枚同時に収納票挿入口１２２に挿入すると、収納票処理装置１０は、収納票を１枚ずつ分離、搬送する。その際、先に分離、搬送された収納票の処理状況に合わせて次の収納票を分離、搬送する。なお、分離機構が無い場合は、ユーザは収納票を１枚ずつ収納票挿入口１２２に挿入する。
【００２８】
収納票搬送部１２４は、収納票挿入口１２２に挿入された収納票を収納票排出口１３０へ向けて搬送する機構である。
【００２９】
スキャナ部１２６は、本発明に係る情報取得部の一例である。スキャナ部１２６は、スキャナ部１２６に搬送された収納票を光学的に読み取り、デジタル静止画像として記録する。例えば、スキャナ部１２６は、収納票に印刷されているデータコードを撮像し、そして、撮像画像を画像解析することにより、当該データコードに記録されている情報を取得する。
【００３０】
印字部１２８は、制御部１００の制御に従って、搬送された収納票に対して領収印の押印または印字を行う。例えば、搬送された収納票ごとに、当該収納票に対応する支払金額が入金済みである場合にのみ、印字部１２８は、当該収納票に対して、領収印の押印または印字を行う。
【００３１】
収納票排出口１３０は、収納票を収納票処理装置１０外へ排出するための開口部である。詳細については後述するが、例えば、スキャナ部１２６により収納票のスキャンが完了した場合には、制御部１００は、当該収納票を収納票排出口１３０から排出させる。
【００３２】
収納票集積部１３２は、収納票排出口１３０から排出された収納票全てを集積する場所である。つまり、収納票集積部１３２は、収納票処理装置１０に挿入された収納票をユーザに返却する場所である。
【００３３】
＜１−２．商品販売データ処理装置２０＞
商品販売データ処理装置２０は、現金処理装置を備え、現金を入金する機能を有する。また、商品販売データ処理装置２０は、収納票処理装置１０およびセンタサーバ３０との間で、後述する通信網２２を介して各種の情報を送受信することが可能である。例えば、商品販売データ処理装置２０は、収納票ごとに、（当該収納票の支払金額として）入金された金額の情報を収納票処理装置１０およびセンタサーバ３０へ送信する。
【００３４】
＜１−３．センタサーバ３０＞
センタサーバ３０は、収納代行業務に関する情報を管理する装置である。センタサーバ３０は、収納代行業務に関する情報を通信網２２を介して収納票処理装置１０や商品販売データ処理装置２０との間で送受信することが可能である。例えば、センタサーバ３０は、収納票処理装置１０において収納代行業務が行われた収納票に関する情報を収納票処理装置１０から受信する。また、センタサーバ３０は、商品販売データ処理装置２０において入金された支払金額の情報を商品販売データ処理装置２０から受信する。さらに、センタサーバ３０は、収納票処理装置１０および商品販売データ処理装置２０から受信された情報を、例えば識別ＩＤをキーとして関連付けて記憶し得る。
【００３５】
＜１−４．通信網２２＞
通信網２２は、通信網２２に接続されている装置から送信される情報の有線、または無線の伝送路である。例えば、通信網２２は、電話回線網、インターネット、衛星通信網などの公衆回線網や、Ｅｔｈｅｒｎｅｔ（登録商標）を含む各種のＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）などを含んでもよい。また、通信網２２は、ＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）などの専用回線網を含んでもよい。
【００３６】
＜１−５．課題の整理＞
以上、本実施形態に係る収納代行システムの構成について説明した。前述したように、収納票処理装置１０は、例えば、挿入された収納票に記録されているデータコードの読み取り、読み取ったデータコードの解析、当該収納票に対応する支払金額の入金の確認、領収印の印字または押印、および、受領証の排出などの一連の処理を実行可能である。
【００３７】
ところで、複数枚の収納票をまとめて処理可能であることも望まれる。つまり、複数枚の収納票の各々のデータコードを読み取ることにより当該複数枚の収納票の各々に対応する支払金額の合計額を算出し、そして、一度に入金可能であることも望まれる。しかしながら、公知の技術では、複数枚の収納票をまとめて処理することができず、収納票を一枚ずつ処理する必要がある。
【００３８】
そこで、上記事情を一着眼点にして、本実施形態に係る収納票処理装置１０を創作するに至った。収納票処理装置１０は、複数枚の収納票の各々に記録されている支払金額の取得が完了した場合に、取得された支払金額の合計額を操作表示部１０４に表示させ、かつ、当該支払金額の合計額の入金が確認された場合に、当該複数枚の収納票の各々に対して、領収印を所定の条件に基づいて印字部１２８に印字または押印させることが可能である。このため、複数枚の収納票を処理する場面において処理の効率を向上させることができる。
【００３９】
＜＜２．実施形態の詳細な説明＞＞
＜２−１．機能構成＞
次に、本実施形態に係る収納票処理装置１０の機能構成について詳細に説明する。なお、以下では、上記の説明と重複する内容については説明を省略する。
【００４０】
図４は、収納票処理装置１０の機能構成の例を示したブロック図である。図４に示したように、収納票処理装置１０は、制御部１００、電源部１０２、操作表示部１０４、レシート印字部１０６、記憶部１０８、通信部１１０、および、機構部１２０を有する。また、機構部１２０は、収納票挿入口１２２、収納票搬送部１２４、スキャナ部１２６、印字部１２８、収納票排出口１３０、および、収納票集積部１３２を有する。
【００４１】
｛２−１−１．制御部１００｝
（２−１−１−１．表示の制御）
制御部１００は、操作表示部１０４に対する表示の制御を行う。例えば、処理対象の複数枚の収納票の各々に記録されている支払金額の、スキャナ部１２６による取得が完了した場合には、制御部１００は、取得された支払金額の合計額を操作表示部１０４に表示させる。一例として、まず、当該複数枚の収納票の各々が最初に（つまり一回目に）収納票挿入口１２２に挿入され、かつ、当該収納票に記録されている支払金額がスキャナ部１２６により取得される度に、制御部１００は、取得された支払金額を現時点の支払金額の合計額に対して加算する。そして、当該複数枚の収納票の各々に記録されている支払金額の取得が完了した場合には、制御部１００は、例えば図５に示したような、（最終的な）支払金額の合計額を示す表示画面を操作表示部１０４に表示させる。
【００４２】
（２−１−１−２．印字・押印の制御）
さらに、当該支払金額の合計額の入金が確認された場合には、制御部１００は、収納票挿入口１２２に再挿入された当該複数枚の収納票の各々に対して領収印を所定の条件に基づいて印字部１２８に印字または押印させる。
【００４３】
‐制御例１
例えば、制御部１００は、当該複数枚の収納票の各々に対して、（一律に）領収印を印字部１２８に印字または押印させてもよい。
【００４４】
‐制御例２
または、制御部１００は、当該複数枚の収納票の各々に関して、当該収納票に対して領収印を印字または押印させるか否かの選択に基づいて、当該収納票に対して領収印を印字部１２８に印字または押印させてもよい。例えば、制御部１００は、当該複数枚の収納票の各々に関して、まず、例えば図６に示したような、当該収納票に対して領収印を印字または押印させるか否かを選択させるための選択画面を操作表示部１０４に表示させる。そして、制御部１００は、当該選択画面において、当該収納票に対して領収印を印字または押印させることが選択されたか否かに基づいて、当該収納票に対して領収印を印字部１２８に印字または押印させる。
【００４５】
一例として、当該複数枚の収納票の各々に関して、当該収納票に対して領収印を印字または押印させることが選択され、かつ、当該収納票が収納票挿入口１２２に再挿入された場合には、制御部１００は、当該収納票に対して領収印を印字部１２８に印字または押印させる。また、当該収納票に対して領収印を印字および押印させないことが選択された場合には、制御部１００は、当該収納票に対応する領収内容を示す情報をレシート用紙に対してレシート印字部１０６に印刷させ、かつ、印刷後のレシート用紙を収納票処理装置１０から排出させる。ここで、当該領収内容を示す情報は、図２に示した受領証４０４に類似の、例えば図７に示したような画像（例えば、スキャナ部１２６によりスキャンされた当該収納票の画像のうち受領証４０４の画像領域など）であってもよい。または、当該領収内容を示す情報は、受領証４０４に含まれる各項目名の文字列と、該当の収納票に含まれるデータコードから読み取られた各項目の項目値の文字列との組が所定のレイアウトに従って配置された文字列であってもよい。この制御例によれば、収納票に対する領収印の印字および押印をユーザが希望しない場合には、ユーザは当該収納票を収納票挿入口１２２へ再挿入する必要がない。従って、作業時間をさらに短縮化することができる。
【００４６】
図６は、上記の選択画面の表示例（領収書種別選択画面５２）を示した図である。図６に示したように、領収書種別選択画面５２は、収納票の処理順番の表示欄５２０、収納票の記録情報の表示欄５２２、領収印の押印選択ボタン５２４、および、レシート印刷選択ボタン５２６を含む。ここで、収納票の処理順番の表示欄５２０には、例えば処理対象の複数枚の収納票のうち該当の収納票の処理順（連番）が表示される。また、収納票の記録情報の表示欄５２２には、一回目の挿入時に該当の収納票のデータコードから解析された情報（「受取人名」および「支払金額」など）が表示される。また、領収印の押印選択ボタン５２４は、該当の収納票に対して領収印の印字または押印を希望する場合にユーザが選択するボタンである。例えば、領収印の押印選択ボタン５２４が選択された場合には、まず、ユーザは該当の収納票を収納票挿入口１２２に再挿入し、そして、制御部１００は、当該収納票に対して領収印を印字部１２８に印字または押印させる。また、レシート印刷選択ボタン５２６は、（領収印の印字または押印の代わりに）該当の収納票に対応する領収内容が印刷されたレシートの発行を希望する場合にユーザが選択するボタンである。
【００４７】
‐‐変形例
なお、変形例として、領収印を印字および押印させないことが選択された場合には、制御部１００は、当該収納票に関する処理を省略（スキップ）してもよい。つまり、制御部１００は、当該収納票に関しては全く処理を実行しなくてもよい。
【００４８】
｛２−１−２．記憶部１０８｝
記憶部１０８は、各種のデータや各種のソフトウェアを記憶する。例えば、記憶部１０８は、個々の収納票のデータコードからスキャナ部１２６により取得された情報と、当該収納票に関する処理ステータスとを関連付けて記憶する。
【００４９】
｛２−１−３．通信部１１０｝
通信部１１０は、有線通信または無線通信により、例えば通信網２２に接続されている他の装置との間で情報の送受信を行う。
【００５０】
＜２−２．処理の流れ＞
以上、本実施形態に係る機能構成について説明した。次に、本実施形態に係る処理の流れについて、図８および図９を参照して説明する。図８は、本実施形態に係る処理の流れの一部を示したフローチャートである。
【００５１】
図８に示したように、まず、収納票処理装置１０の操作表示部１０４は、制御部１００の制御に従って、例えば図１０に示したような枚数入力画面を表示する。これにより、処理対象の収納票の枚数の入力をユーザに促す。そして、ユーザは、当該枚数入力画面に対して、処理対象の収納票の枚数を入力する。その後、記憶部１０８は、ユーザから入力された収納票の枚数を記憶する（Ｓ１０１）。
【００５２】
その後、ユーザは、当該処理対象の複数枚の収納票のうちのいずれか一枚を収納票挿入口１２２に挿入する（Ｓ１０３）。
【００５３】
その後、収納票処理装置１０の収納票搬送部１２４は、Ｓ１０３で挿入された収納票をスキャナ部１２６まで搬送する。そして、スキャナ部１２６は、搬送された収納票に印刷されているデータコードを読み取り、そして、当該データコードに格納されている情報を解析する（Ｓ１０５）。
【００５４】
続いて、制御部１００は、Ｓ１０５で解析された情報（例えば識別ＩＤ、支払金額、および、受取人氏名など）を記憶部１０８に記録する。次に、制御部１００は、記憶部１０８に記憶されている当該複数枚の収納票の現時点の支払金額の合計額に対して、Ｓ１０５で取得された支払金額を加算し、そして、記憶部１０８の記憶内容を更新する（Ｓ１０７）。
【００５５】
続いて、制御部１００は、Ｓ１０３〜Ｓ１０７の処理が、Ｓ１０１で入力された枚数分繰り返されたか否かを判定する（Ｓ１０９）。現在の繰り返し回数が、Ｓ１０１で入力された値（枚数）に達していない場合には（Ｓ１０９：Ｎｏ）、制御部１００は、再びＳ１０３〜Ｓ１０７の処理を繰り返す。
【００５６】
一方、現在の繰り返し回数が、Ｓ１０１で入力された値に達した場合には（Ｓ１０９：Ｙｅｓ）、まず、制御部１００は、記憶部１０８に記憶されている、当該複数枚の収納票の支払金額の合計額を取得する。そして、制御部１００は、例えば図５に示したような、当該支払金額の合計額を含む確認画面を操作表示部１０４に表示させる。これにより、当該支払金額の合計額の確認をユーザに対して促すことができる（Ｓ１１１）。
【００５７】
その後、ユーザは、例えば店舗において店員に現金を手渡す等により、当該支払金額の合計額を支払う（Ｓ１１３）。
【００５８】
その後、収納票処理装置１０の制御部１００は、当該支払金額の合計額の支払い（入金）が完了したか否かを確認する。例えば、当該支払金額の合計額の入金情報が商品販売データ処理装置２０から受信済みであるか否かによって、制御部１００は、当該支払金額の合計額の入金が完了したか否かを判定してもよい。または、収納票処理装置１０（操作表示部１０４など）に対して係員（店員など）により所定の操作が行われたか否かによって、制御部１００は、当該支払金額の合計額の入金が完了したか否かを判定してもよい（Ｓ１１５）。
【００５９】
そして、当該支払金額の合計額の入金が確認された場合には、制御部１００は、「繰り返し上限値」として、Ｓ１０１で入力された値をセットし、かつ、現在の「処理枚数」として「１」をセットする（Ｓ１１７）。
【００６０】
ここで、図９を参照して、Ｓ１１７より後の処理の流れについて説明する。図９に示したように、Ｓ１１７の後、制御部１００は、当該処理対象の複数枚の収納票のうちのいずれか一枚に関して、例えば図６に示したような、原票（つまり収納票自体）に対する領収印の押印（または印字）と、領収内容が印刷されたレシートとのいずれを領収書とするかを選択するための選択画面を操作表示部１０４に表示させる。例えば、制御部１００は、まず、一回目（つまりＳ１０１〜Ｓ１０９）に収納票挿入口１２２に挿入された順序において現在の「処理枚数」の順番に対応する収納票を特定し、そして、当該収納票に対応する選択画面を操作表示部１０４に表示させる（Ｓ１２３）。
【００６１】
当該選択画面において「原票に対する領収印の押印」が選択された場合には、まず、押印することを選択した収納票の再挿入を促す画面を操作表示部１０４は表示する。そして、ユーザは、該当の収納票を収納票挿入口１２２に挿入する（Ｓ１２５）。
【００６２】
その後、収納票処理装置１０の収納票搬送部１２４は、制御部１００の制御に従って、Ｓ１０３で挿入された収納票をスキャナ部１２６まで搬送する。そして、スキャナ部１２６は、搬送された収納票に印刷されているデータコードを読み取る（Ｓ１２７）。
【００６３】
続いて、制御部１００は、該当のデータコードからＳ１２７で読み取られた識別ＩＤと、記憶部１０８に記憶されている当該複数枚の収納票のうちのいずれかの識別ＩＤとが一致するか否かを判定する（Ｓ１２９）。Ｓ１２７で読み取られた識別ＩＤが、当該複数枚の収納票のいずれの識別ＩＤとも一致しない場合には（Ｓ１２９：Ｎｏ）、制御部１００は、後述するＳ１３５の処理を行う。
【００６４】
一方、Ｓ１２７で読み取られた識別ＩＤが、当該複数枚の収納票のうちのいずれかの識別ＩＤと一致する場合には（Ｓ１２９：Ｙｅｓ）、収納票搬送部１２４は、制御部１００の制御に従って、Ｓ１２５で挿入された収納票を印字部１２８まで搬送する。そして、印字部１２８は、制御部１００の制御に従って、当該収納票に対して印字または押印を行う（Ｓ１３１）。
【００６５】
続いて、制御部１００は、当該収納票の識別ＩＤと関連付けて記憶部１０８に記憶されている処理ステータスを（例えば「処理中」から）「処理完了」に更新する（Ｓ１３３）。
【００６６】
続いて、収納票搬送部１２４は、制御部１００の制御に従って、当該収納票を収納票排出口１３０へ搬送し、そして、排出させる。これにより、当該収納票はユーザに返却される（Ｓ１３５）。その後、制御部１００は、後述するＳ１４３の処理を行う。
【００６７】
一方、Ｓ１２３において「レシートの印刷」が選択された場合には、レシート印字部１０６は、制御部１００の制御に従って、Ｓ１２１で表示された選択画面に対応する収納票の領収内容を示す情報をレシート用紙に対して印刷する（Ｓ１３７）。そして、レシート印字部１０６は、当該レシート用紙を収納票処理装置１０から排出する（Ｓ１３９）。
【００６８】
続いて、制御部１００は、当該収納票の識別ＩＤと関連付けて記憶部１０８に記憶されている処理ステータスを（例えば「処理中」から）「処理完了」に更新する（Ｓ１４１）。
【００６９】
その後、制御部１００は、現在の「処理枚数」が「繰り返し上限値」に達したか否かを判定する。つまり、制御部１００は、Ｓ１２１〜Ｓ１４１の処理が「繰り返し上限値」（つまり、Ｓ１０１で入力された枚数分）だけ繰り返されたか否かを判定する（Ｓ１４３）。現在の「処理枚数」が「繰り返し上限値」に達した場合には（Ｓ１４３：Ｙｅｓ）、当該処理は終了する。
【００７０】
一方、現在の「処理枚数」が「繰り返し上限値」に達していない場合には（Ｓ１４３：Ｎｏ）、まず、制御部１００は、現在の「処理枚数」に１を加算する。そして、制御部１００は、再びＳ１２１以降の処理を行う。
【００７１】
｛２−２−１．変形例｝
なお、本実施形態に係る処理の流れは前述した例に限定されない。例えば、Ｓ１０１を行う代わりに、収納票処理装置１０は、Ｓ１０３〜Ｓ１０７を行った後で、処理対象の全ての収納票の挿入が完了したか否かをユーザに確認してもよい。この場合、全ての収納票の挿入が完了していない場合には、収納票処理装置１０は、Ｓ１０３〜Ｓ１０７を再度繰り返す。また、全ての収納票の挿入が完了した場合には、収納票処理装置１０は、Ｓ１１１以降の処理を行ってもよい。
【００７２】
＜２−３．効果＞
｛２−３−１．効果１｝
以上説明したように、本実施形態に係る収納票処理装置１０は、複数枚の収納票の各々に記録されている支払金額の取得が完了した場合に、取得された支払金額の合計額を操作表示部１０４に表示させ、かつ、当該支払金額の合計額の入金が確認された場合に、当該複数枚の収納票の各々に対して、領収印を所定の条件に基づいて印字部１２８に印字または押印させる。このため、複数枚の収納票を処理する場面において処理の効率を向上させることができる。例えば、収納票処理装置１０が小型で、低価格な装置であっても、複数枚の収納票をより短時間で処理することができる。
【００７３】
例えば、収納票処理装置１０は、収納票に関する一連の処理を、前半の処理（例えば、データコード読み取り、データコード解析、および、支払金額の合計額の算出）と、後半の処理（例えば、支払い（入金）確認以降の処理）とに分割することができる。これにより、前半の処理に関しては、複数枚の収納票をまとめて処理することが可能となる。その結果、当該複数枚の収納票の各々に記録されている支払金額の合計額をユーザは一度に入金することが可能となるので、ユーザの利便性も向上する。
【００７４】
｛２−３−２．効果２｝
さらに、当該支払金額の合計額の入金確認後には、収納票処理装置１０は、当該複数枚の収納票の各々に対して領収書を発行することができる。例えば、収納票処理装置１０は、収納票に対する領収印の押印（または印字）と、領収内容が印刷されたレシートとのいずれを領収書とするかをユーザに選択させる。これにより、レシートの発行が選択された場合には、ユーザは該当の収納票を収納票挿入口１２２へ再挿入する必要がなくなる。従って、作業時間をさらに短縮化することができる。
【００７５】
＜＜３．変形例＞＞
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００７６】
＜３−１．変形例１＞
例えば、図３では、収納票挿入口１２２と収納票排出口１３０とが前後方向に離れて設けられる例を示したが、かかる例に限定されない。例えば、収納票搬送部１２４の形状を工夫することにより、収納票挿入口１２２と収納票排出口１３０とが同じ側または同じ面に位置するように構成されてもよいし、または、一体的に構成されてもよい。
【００７７】
＜３−２．変形例２＞
また、収納票処理装置１０は、例えば印字部１２８と収納票排出口１３０との間において切断部をさらに備えてもよい。例えば、収納票に対する領収印の押印または印字が選択され、かつ、収納票が再挿入された場合には、当該切断部は、当該収納票のうち、例えば図２に示した受領証４０４のみをユーザに返却可能となるように当該収納票を切断してもよい。
【００７８】
＜３−３．変形例３＞
また、前述した実施形態では、例えば領収書種別選択画面５２などの表示画面の表示および操作を操作表示部１０４を用いて行う例について説明したが、かかる例に限定されない。例えば、（収納票処理装置１０の代わりに）商品販売データ処理装置２０が、前述した全ての表示画面を表示してもよいし、前述した全ての操作は商品販売データ処理装置２０を介して実行可能としてもよい。
【００７９】
＜３−４．変形例４＞
また、前述した実施形態では、収納票処理装置１０と商品販売データ処理装置２０とが通信網２２を介して接続される例について説明したが、かかる例に限定されない。例えば、収納票処理装置１０と商品販売データ処理装置２０とは、ＵＳＢ（Ｕｎｉｖｅｒｓａｌ  Ｓｅｒｉａｌ  Ｂｕｓ）などの有線ケーブルにより直接接続されてもよい。さらに、この場合、商品販売データ処理装置２０と収納票処理装置１０とのうちのいずれか一方のみが通信網２２に接続されるように構成されてもよい。
【００８０】
また、前述した実施形態に係る処理の流れにおける各ステップは、必ずしも記載された順序に沿って処理されなくてもよい。例えば、各ステップは、適宜順序が変更されて処理されてもよい。また、各ステップは、時系列的に処理される代わりに、一部並列的に又は個別的に処理されてもよい。また、記載されたステップのうちの一部が省略されたり、または、別のステップがさらに追加されてもよい。
【符号の説明】
【００８１】
１０  収納票処理装置
２０  商品販売データ処理装置
２２  通信網
３０  センタサーバ
１００  制御部
１０２  電源部
１０４  操作表示部
１０６  レシート印字部
１０８  記憶部
１１０  通信部
１２０  機構部
１２２  収納票挿入口
１２４  収納票搬送部
１２６  スキャナ部
１２８  印字部
１３０  収納票排出口
１３２  収納票集積部
【図１】
2019046140.tif 000003
【図２】
2019046140.tif 000004
【図３】
2019046140.tif 000005
【図４】
2019046140.tif 000006
【図５】
2019046140.tif 000007
【図６】
2019046140.tif 000008
【図７】
2019046140.tif 000009
【図８】
2019046140.tif 000010
【図９】
2019046140.tif 000011
【図１０】
2019046140.tif 000012